(57)【特許請求の範囲】
【請求項１】
前端側にあご部（４）を有し、後端側に握り柄（５）を有する一対のアーム（１・２）と、両アーム（１・２）をＸ字状に連結するための連結ボス部（６）と連結軸（３）とを含み、両アーム（１・２）の各あご部（４）の対向面の前部に横挟み歯（１１）が形成されている挟持工具であって、
両アーム（１・２）の間には、握り柄（５）を握り込み操作した際に両アーム（１・２）のあご部（４）の握り込み限界を規制するためのストッパー（１８）が設けられており、
横挟み歯（１１）は、前後方向に走る工具中心軸（８）と交差する向きに延びる、山谷状に連続する複数の横リブ歯（１７）で構成されており、
両あご部（４）の最後端に位置する横リブ歯（１７）よりも前方寄りを前方領域（２３）と規定したとき、ストッパー（１８）は前方領域（２３）を除く部分に設けられており、
一方のあご部（４）に設けた横リブ歯（１７）と、他方のあご部（４）に設けた横リブ歯（１７）とは前後に位置ずれした状態で配置されており、
両アーム（１・２）をストッパー（１８）による握り込み限界まで握込み操作した閉姿勢において、一方のあご部（４）の横リブ歯（１７）の山部（１７ａ）が、他方のあご部（４）の横リブ歯（１７）の谷部（１７ｂ）内に入り込むと共に、横リブ歯（１７）を含む両あご部（４・４）の前方領域（２３・２３）どうしが、非接触の正対姿勢を取るように構成されていることを特徴とする挟持工具。
【請求項２】
連結ボス部（６）と隣接するあご部（４）の対向面に一対の切断刃（１０・１０）が設けられており、
これら切断刃（１０・１０）の刃面どうしが接触することで、ストッパー（１８）としての機能を果たすようになっている、請求項１記載の挟持工具。
【請求項３】
両あご部（４）に設けられた横挟み歯（１１）が、同形、同大に形成されて、歯ピッチ（Ｐ）が同じに設定された横リブ歯（１７）で構成されており、
一方のあご部（４）に設けた横リブ歯（１７）の歯ピッチ（Ｐ）と、他方のあご部（４）に設けた横リブ歯（１７）の歯ピッチ（Ｐ）が、歯ピッチ（Ｐ）の半ピッチ分だけ前後にずらして設けられており、
閉姿勢において、一方のあご部（４）に設けた横リブ歯（１７）の山部（１７ａ）の突端と、他方のあご部（４）に設けた横リブ歯（１７）の谷部（１７ｂ）の底端が、上下方向において、非接触状態で正対するように構成されている請求項１又は２記載の挟持工具。
【請求項４】
各あご部（４・４）の横挟み歯（１１）が、工具中心軸（８）に沿って配置した、歯ピッチ（Ｐ１・Ｐ２）が異なる複数種の横リブ歯（１７）で構成されている、請求項１又は２記載の挟持工具。
【請求項５】
横リブ歯（１７）の山部（１７ａ）の突端および谷部（１７ｂ）の底端のそれぞれが丸められて、各アーム（１・２）の横挟み歯（１１）の側面視形状が連続波形に形成してある請求項３記載の挟持工具。
【請求項６】
各アーム（１・２）の横挟み歯（１１）が、歯丈（Ｈ）の異なる複数種の横リブ歯（１７）で構成してある請求項２から５のいずれかひとつに記載の挟持工具。
【請求項７】
一対のあご部（４）の対向面の前部に歯台（１５）が膨出形成されており、
前記歯台（１５）の左右に横挟み歯（１１）が形成され、左右の横挟み歯（１１）の間に縦挟み歯（１２）が形成されており、
横挟み歯（１１）が工具中心軸（８）と直交する複数の横リブ歯（１７）で構成されており、
縦挟み歯（１２）が前後に長い複数の縦リブ歯（２０）で構成してある請求項１から６のいずれかひとつに記載の挟持工具。
【請求項８】
歯台（１５）の前端（２１）が工具中心軸（８）と直交する平坦面で形成されており、
縦リブ歯（２０）が歯台（１５）の前端（２１）から後端にわたって凹弧状に形成されて、縦リブ歯（２０）の前部が歯台（１５）の前端（２１）に臨ませてある請求項７記載の挟持工具。
【発明の詳細な説明】
【技術分野】
【０００１】
本発明は、あご部と握り柄を備えた一対の挟持アームが、連結軸でＸ字状に連結してある挟持工具に関して、掴み機能の向上を図る技術に関する。本発明に係る挟持工具の具体例としては、プライヤー、コンビネーションプライヤー、ペンチ、ラジオペンチ、ウォーターポンププライヤーなどを挙げることができる。
【背景技術】
【０００２】
挟持工具の分野において、一対のあご部の対向面のそれぞれに山谷状の挟み歯を設けることは広く公知の技術である。例えば、特許文献１には、前端側にあご部を有し、後端側に握り柄を有する一対のアームと、両アームをＸ字状に連結する連結軸とを備え、両あご部の対向面のそれぞれ山谷状の挟み歯を備えるペンチが開示されている。
【先行技術文献】
【特許文献】
【０００３】
【特許文献１】実開昭５０−１４８１９８号公報（第１図、第２図）
【発明の概要】
【発明が解決しようとする課題】
【０００４】
特許文献１のペンチでは、連結軸と隣接するあご部の対向面には一対の切断刃が設けられており、これら切断刃の刃先どうしが接触することで、両アームの握り込み限界が規定されるようになっている。また、特許文献１のペンチでは、握り込み限界における、あご部の挟み歯の山部どうしの間には、小さな隙間が形成されるようになっている。このため、特許文献１に記載のペンチでは、握り込み限界において形成される挟み歯どうしの隙間寸法よりも、肉厚寸法の小さなシート体を挟持することは不可能である。換言すれば、特許文献１に記載のペンチは、切断刃に由来する切断機能が優先される構成となっており、挟み歯に由来する掴み機能は十分に発揮されない。
【０００５】
この種の挟持工具においては、挟み歯に由来する掴み機能を優先させて、薄肉のシート体も挟持できるようにするために、握り込み限界において、あご部の挟み歯どうしが接触するような構成を採ったものもある。しかし、このように挟み歯どうしが接触する構成では、握り込み限界における挟み歯どうしの接触具合にバラツキがあると、良好な掴み機能が得られない。つまり、握り込み限界における挟み歯どうしの接触具合にバラツキがあり、握り込み限界において一部の挟み歯どうしが先当りするようになっていると、挟持対象を掴んだ際に、先当りする挟み歯の部分のみが挟持対象に接触して、他の挟み歯が挟持作用に関与せず、結果として、多数の挟み歯を使った確実な掴み機能が発揮されない。
【０００６】
本発明は、以上のような従来の挟持工具の抱える問題を解決するためになされたものであり、薄肉のシート体であっても確実に挟持することが可能な、優れた掴み機能を備える挟持工具を提供することにある。
本発明の他の目的は、切断刃に由来する切断機能と、挟み歯に由来する掴み機能の両機能が良好に発揮される挟持工具を提供することにある。
【課題を解決するための手段】
【０００７】
本発明は、前端側にあご部４を有し、後端側に握り柄５を有する一対のアーム１・２と、両アーム１・２をＸ字状に連結するための連結ボス部６と連結軸３とを含み、両アーム１・２の各あご部４の対向面の前部に横挟み歯１１が形成されている挟持工具を対象とする。両アーム１・２の間には、握り柄５を握り込み操作した際に両アーム１・２のあご部４の握り込み限界を規制するためのストッパー１８が設けられている。横挟み歯１１は、前後方向に走る工具中心軸８と交差する向きに延びる、山谷状に連続する複数の横リブ歯１７で構成されている。両あご部４の最後端に位置する横リブ歯１７よりも前方寄りを前方領域２３と規定したとき、ストッパー１８は前方領域２３を除く部分に設けられている。一方のあご部４に設けた横リブ歯１７と、他方のあご部４に設けた横リブ歯１７とは前後に位置ずれした状態で配置されている。両アーム１・２をストッパー１８による握り込み限界まで握込み操作した閉姿勢において、一方のあご部４の横リブ歯１７の山部１７ａが、他方のあご部４の横リブ歯１７の谷部１７ｂ内に入り込むと共に、横リブ歯１７を含む両あご部４・４の前方領域２３・２３どうしが、非接触の正対姿勢を取るように構成されている。
【０００８】
連結ボス部６と隣接するあご部４の対向面に一対の切断刃１０・１０が設けられており、これら切断刃１０・１０の刃先どうしが接触することで、ストッパー１８としての機能を果たすようになっている。
【０００９】
両あご部４に設けられた横挟み歯１１が、同形、同大に形成されて、歯ピッチＰが同じに設定された横リブ歯１７で構成されている。一方のあご部４に設けた横リブ歯１７の歯ピッチＰと、他方のあご部４に設けた横リブ歯１７の歯ピッチＰが、歯ピッチＰの半ピッチ分だけ前後にずらして設けられている。閉姿勢において、一方のあご部４に設けた横リブ歯１７の山部１７ａの突端と、他方のあご部４に設けた横リブ歯１７の谷部１７ｂの底端が、上下方向において、非接触状態で正対するように構成されている。
【００１０】
各あご部４・４の横挟み歯１１が、工具中心軸８に沿って配置した、歯ピッチＰ１・Ｐ２が異なる複数種の横リブ歯１７で構成されている。
【００１１】
横リブ歯１７の山部１７ａの突端および谷部１７ｂの底端のそれぞれが丸められて、各アーム１・２の横挟み歯１１の側面視形状が連続波形に形成されている。
【００１２】
各アーム１・２の横挟み歯１１が、歯丈Ｈの異なる複数種の横リブ歯１７で構成されている。
【００１３】
一対のあご部４の対向面の前部に歯台１５が膨出形成されており、歯台１５の左右に横挟み歯１１が形成され、左右の横挟み歯１１の間に縦挟み歯１２が形成されており、横挟み歯１１が工具中心軸８と直交する複数の横リブ歯１７で構成されており、縦挟み歯１２が前後に長い複数の縦リブ歯２０で構成されている。
【００１４】
歯台１５の前端２１が工具中心軸８と直交する平坦面で形成されており、縦リブ歯２０が歯台１５の前端２１から後端にわたって凹弧状に形成されて、縦リブ歯２０の前部が歯台１５の前端２１に臨ませてある。
【発明の効果】
【００１５】
本発明に係る挟持工具においては、第１アーム１と第２アーム２をストッパー１８による握り込み限界まで握込み操作した閉姿勢において、一方のあご部４の横リブ歯１７の山部１７ａが、他方のあご部４の横リブ歯１７の谷部１７ｂ内に入り込むように構成した。このように、一方のあご部４の横リブ歯１７の山部１７ａが、他方のあご部４の横リブ歯１７の谷部１７ｂ内に入り込むようになっていると、シート体１００などの肉厚寸法の小さな挟持対象を横挟み歯１１で挟持した状態としたとき、対向する横リブ歯１７の山部１７ａの先端を挟持対象の両表面に互い違いに接当させることができるので、挟持対象を強固に挟み固定することができる。特に、可撓性のあるシート体１００を挟持した場合には、該シート体１００を対向する横リブ歯１７に挟んで撓み変形させながら、シート体１００を強固に挟み固定することができる。従って、本発明によれば、肉厚寸法の小さな挟持対象に対しても、これを横挟み歯１１で確実に挟持することが可能となり、掴み機能に優れた挟持工具を得ることができる。また、本発明に係る挟持工具によれば、横挟み歯１１で挟持した挟持対象に外力を加えて挟持部分を折曲げ、あるいは挟持対象を挟持部分ごと引抜いて分離するなどの２次作業を的確に行うことができる。
【００１６】
加えて、本発明に係る挟持工具においては、両あご部４の最後端に位置する横リブ歯１７よりも前方寄りである前方領域２３を除く部分にストッパー１８を設けて、閉姿勢としたときに、横リブ歯１７を含む両あご部４・４の前方領域２３・２３どうしが、非接触の正対姿勢を取るように構成した。つまり、本発明に係る挟持工具においては、上述のように、閉姿勢において、一方のあご部４の横リブ歯１７の山部１７ａが、他方のあご部４の横リブ歯１７の谷部１７ｂ内に入り込むように構成しながら、当該閉姿勢において、これら横リブ歯１７どうしは非接触の正対姿勢となるように構成した。このように、閉姿勢において横リブ歯１７を含む両あご部４・４の前方領域２３・２３どうしが非接触の正対姿勢を取るように構成されていると、閉姿勢において横リブ歯１７どうしが接触する形態に比べて、より多くの横挟み歯１１を挟持対象に確実に接当させることができる。従って、この点でも挟持対象を強固に挟み固定して、掴み機能に優れた挟持工具を得ることができる。また、上記作用効果は、閉姿勢において、横リブ歯１７等を含む両あご部４・４の前方領域２３・２３どうしが接触しないようにすれば得られるものであるため、横リブ歯１７等の寸法精度に高度な厳密さが求められず、挟持工具の構造を簡素化して低コスト化できる利点もある。つまり、本発明によれば、掴み機能に優れた挟持工具をより安価に提供できる。
【００１７】
加えて、本発明では、閉姿勢において横リブ歯１７を含む両あご部４・４の前方領域２３・２３どうしが、非接触の正対姿勢を取るように構成したので、両アーム１・２を握り込み操作したとき、両切断刃１０・１０の刃先どうしを確実に先当りさせることができる。以上より、本発明によれば、横リブ歯１７に由来する優れた掴み機能と、切断刃１０に由来する優れた切断機能を兼ね備えた挟持工具を得ることができる。
【００１８】
連結ボス部６と隣接するあご部４の対向面に一対の切断刃１０を設けた挟持工具によれば、切断機能が付加された分だけ挟持工具をさらに多機能化して、挟持工具の使い勝手を向上できる。また、切断刃１０が第１アーム１と第２アーム２の握込み限界を規定するストッパー１８を兼ねるようにすると、別途ストッパー１８を設ける必要がないので、挟持工具の構造を簡素化して低コスト化できる。切断刃１０は、例えばキャブタイヤコードや金属線材などを切断する際に使用することができる。
【００１９】
一方の横リブ歯１７の歯ピッチＰと他方の横リブ歯１７の歯ピッチＰを、歯ピッチＰの半ピッチ分だけ前後にずらすと、第１アーム１と第２アーム２を限界位置まで握込み操作した状態において、一方の横リブ歯１７の山部１７ａの突端と、他方の横リブ歯１７の谷部１７ｂの底端を正対させることができる。従って、横挟み歯１１でシート体１００などの挟持対象を挟持した状態では、挟持対象を一対の横リブ歯１７の凹凸形状に沿って弾性変形ないし塑性変形させて、横リブ歯１７と挟持対象の接触摩擦を増強した状態で、挟持対象をさらに強固に挟持できる。また、薄く変形しやすい挟持対象であっても、その両表面を一方の横リブ歯１７で変形させて、横リブ歯１７と挟持対象が相対的に滑るのを阻止した状態で確実に挟持できる。
【００２０】
歯ピッチＰ１・Ｐ２が異なる複数種の横リブ歯１７で横挟み歯１１を構成すると、横挟み歯１１による挟持対象の挟持位置を変更することで、挟持態様を種々に変更することができる。例えば、歯ピッチＰ２が小さな横リブ歯１７で挟持対象を挟持し、あるいは歯ピッチＰ１が大きな横リブ歯１７で挟持対象を挟持し、あるいは歯ピッチＰ２が小さな横リブ歯１７と、歯ピッチＰ１が大きな横リブ歯１７で挟持対象を挟持できる。従って、挟持対象の材質や厚みの違いなどに応じて、横挟み歯１１による挟持態様を種々に変更できる。また、歯ピッチＰ１が大きな横リブ歯１７で挟持対象を挟持する場合には、横リブ歯１７と挟持対象の接触面積を大きくして、横リブ歯１７と挟持対象が相対的に滑るのを確実に防止できる。
【００２１】
横挟み歯１１の側面視形状を連続波形に形成した挟持工具によれば、シート体１００などの挟持対象を横挟み歯１１で挟持した状態において、挟持対象を確りと挟持しながら、緩やかに変形させて、挟持対象が傷付くのを抑止できる。また、挟持対象の変形の度合いが緩やかであるので、例えば横リブ歯１７の山部１７ａが鋭角的に尖らせてある場合に比べて、より小さな力で挟持対象を軽快に挟持できる。
【００２２】
歯丈Ｈが異なる複数種の横リブ歯１７で横挟み歯１１を構成すると、横挟み歯１１による挟持対象の挟持位置を変更することで、挟持態様を種々に変更することができる。例えば、歯丈Ｈが小さな横リブ歯１７で挟持対象を挟持し、あるいは歯丈Ｈが大きな横リブ歯１７で挟持対象を挟持し、あるいは歯丈Ｈが小さな横リブ歯１７と、歯丈Ｈが大きな横リブ歯１７で挟持対象を挟持できる。従って、挟持対象の材質や厚みの違いなどに応じて、横挟み歯１１による挟持態様を種々に変更できる。また、歯丈Ｈが大きな横リブ歯１７で挟持対象を挟持することにより、横リブ歯１７と挟持対象の接触面積を大きくして、横リブ歯１７と挟持対象が相対的に滑るのを確実に防止できる。
【００２３】
歯台１５の左右に横挟み歯１１を形成し、左右の横挟み歯１１の間に縦挟み歯１２を形成すると、形状や構造が異なる挟持対象を、横挟み歯１１または縦挟み歯１２で好適に挟持し処理できるので、挟持工具を多機能化できる。例えば、横挟み歯１１でシート体１００などの挟持対象を挟持して折り曲げ、あるいは引ずり出すなどの２次作業を行うことができる。また、ビス頭部を縦挟み歯１２で挟持して緩み方向へ回転することにより、ドライバーで緩めることができなくなったビスを確実に除去できる。場合によっては、ドライバーで緩めることができなくなったビスを、横挟み歯１１を用いて除去することができる。
【００２４】
縦リブ歯２０を歯台１５の前端２１から後端にわたって凹弧状に形成し、縦リブ歯２０の前部を歯台１５の前端２１に臨ませると、縦リブ歯２０でビス頭を挟持するとき、ビス頭の円弧周面のビス締結面に近い側を、縦リブ歯２０の前部で挟持できる。従って、ビス頭の円弧周面を縦リブ歯２０でさらに確実に挟持して、ドライバーで緩めることができなくなったビスの除去をさらに確実に行うことができる。
【図面の簡単な説明】
【００２５】
【図１】本発明の実施例１に係る挟持工具の要部の側面図である。
【図２】実施例１に係る挟持工具の斜視図である。
【図３】挟持工具のあご部構造を示す側面図である。
【図４】あご部を開いた状態の挟持工具の斜視図である。
【図５】図３におけるＡ−Ａ線断面図である。
【図６】横挟み歯でシート体を挟持し始めた状態を示す側面図である。
【図７】横挟み歯でシート体を挟持し終えた状態を示す側面図である。
【図８】実施例１に係る挟持工具の外観６面図である。
【図９】横挟み歯の変形例を示す側面図である。
【図１０】横挟み歯の別の変形例を示す側面図である。
【図１１】横挟み歯のさらに別の変形例を示す側面図である。
【図１２】横挟み歯のさらに別の変形例を示す側面図である。
【図１３】横挟み歯のさらに別の変形例を示す側面図である。
【図１４】横挟み歯のさらに別の変形例を示す側面図である。
【図１５】本発明の実施例２に係る挟持工具の要部の斜視図である。
【図１６】実施例２に係る挟持工具のあご部を開いた状態の斜視図である。
【図１７】実施例２に係る横挟み歯の側面図である。
【図１８】実施例２に係る挟持工具の外観６面図である。
【図１９】実施例３に係る挟持工具の側面図である。
【図２０】ストッパーの変形例を示す挟持工具の側面図である。
【図２１】実施例４に係る挟持工具の側面図である。
【図２２】実施例５に係る挟持工具の側面図である。
【図２３】実施例６に係る挟持工具の側面図である。
【図２４】実施例７に係る挟持工具の側面図である。
【図２５】実施例７に係る挟持工具のあご部の側面図である。
【図２６】実施例７に係る図２５におけるＢ−Ｂ線断面図である。
【図２７】実施例７に係る挟持工具の外観６面図である。
【図２８】実施例７の別実施例に係る挟持工具の横挟み歯の形状を示す図である。
【発明を実施するための形態】
【００２６】
（実施例１）  図１ないし図８は、本発明に係る挟持工具をペンチに適用した実施例１を示す。本実施例における前後、左右、上下とは、図２に示す交差矢印と、矢印の近傍の前後・左右・上下の表記に従う。図２においてペンチは、Ｘ字状に配置した第１アーム１と第２アーム２を連結軸３で相対回動自在に連結して構成する。各アーム１・２は、前端にあご部４を有し、後端側に湾曲する握り柄５を有し、あご部４の基端に連結ボス部６を設けた鍛造品からなり、あご部４の左右側面、および上下面に研削加工を施して仕上げられている。第１アーム１と第２アーム２は、連結軸３の中心を通る工具中心軸８を対象軸にして略上下対称に形成されている。握り柄５の外面は、エラストマー製のグリップ体７で覆われている。先の連結軸３は、例えば第１アーム１に固定されて、第２アーム２の連結ボス部６で相対回転自在に軸支するが、連結軸３は両アーム１・２のどちらに固定してもよい。図８は、実施例１に係るペンチの外観６面図である。
【００２７】
連結ボス部６に隣接するあご部４の対向面には、キャブタイヤコードや金属線材などを切断するための一対の切断刃１０が形成されている（図３参照）。この実施例における切断刃１０は、第１アーム１と第２アーム２の握込み限界を規定するストッパー１８を兼ねており、握込み限界においては一対の切断刃１０の刃先が一直線状に密着する。一対の切断刃１０の前側に逃げ凹部１４が形成され、この逃げ凹部１４より前側に歯台１５が設けられ、歯台１５の対向面に横挟み歯１１と縦挟み歯１２が形成されている。また、連結ボス部６に隣接する握り柄５の対向面に後挟み歯１３が形成されている。
【００２８】
図４および図５に示すように、横挟み歯１１は歯台１５の左右に山谷状に連続する状態で形成され、これら横挟み歯１１の間の凹部１６に縦挟み歯１２が山谷状に連続する状態で形成されている。図１に示すように、横挟み歯１１は、工具中心軸８と直交し左右方向に延びる複数（５〜６個）の横リブ歯１７で構成されている。側方視において、第１アーム１のあご部４に形成した横リブ歯１７と、第２アーム２のあご部４に形成した横リブ歯１７は、それぞれ同じ大きさの三角形状に形成されて、歯ピッチＰが同じに設定されている。本実施例に係るペンチでは、横リブ歯１７の山部１７ａの先端と、谷部１７ｂの底端は丸められており、横リブ歯１７の谷部１７ｂの底端から山部１７ａの先端までの高さが０．６ｍｍであるとき、山部１７ａの先端の半径値は０．２ｍｍであり、谷部１７ｂの底端の半径値は０．３ｍｍとした。
【００２９】
上記のように、一対のあご部４に形成した横リブ歯１７の歯ピッチＰは同じであるが、第１アーム１の横リブ歯１７と第２アーム２の横リブ歯１７の歯ピッチＰは、図１に示すように歯ピッチＰの半ピッチ分だけずらしてある。これによれば、第１アーム１と第２アーム２を限界位置まで握込み操作した状態、すなわち、ペンチを閉姿勢とした状態において、一方のあご部４の横リブ歯１７の山部１７ａを、他方のあご部４の横リブ歯１７の谷部１７ｂ内に入り込ませることができる。また、このように、ペンチを閉姿勢とした状態において、一方のあご部４の横リブ歯１７の山部１７ａが、他方のあご部４の横リブ歯１７の谷部１７ｂ内に入り込むようになっていると、肉厚寸法の小さなシート体１００であっても、これを確実に横リブ歯１７で挟持して、掴むことができる。横リブ歯１７の挟持作用の詳細は改めて後述する。この状態の山部１７ａの突端と谷部１７ｂの底端は、小さな隙間約０．３ｍｍを間にして正対している。
【００３０】
縦挟み歯１２は、前後に長く断面が三角形状の複数（４個）の縦リブ歯２０で構成する。図３に示すように、歯台１５の前端２１は工具中心軸８と直交する平坦面で形成されており、一対の横リブ歯１７の間の凹部１６に沿って、縦リブ歯２０が歯台１５の前端２１から後端にわたって凹弧状に形成されている。縦リブ歯２０を凹弧状に形成することにより、歯台１５の前端２１と縦リブ歯２０の前部が挟む角度θ（図１参照）を鋭角にして、縦リブ歯２０の前部でビス頭の円弧周面を確実に挟持できるようにしている。また、４個の縦リブ歯２０の前部は、全て歯台１５の前端２１に臨んでおり、第１アーム１と第２アーム２を限界位置まで握込み操作した状態において、両アーム１・２の各縦リブ歯２０の山部は、工具中心軸８を通る水平面と平行になる状態で、小さな隙間を間にして上下に対向している。この状態の４個の縦リブ歯２０の凹部１６からの高さは、縦リブ歯２０の任意の断面位置において常に同じである。歯台１５の前端２１の左右には、あご部４の前端へ向かって先すぼまり状に傾斜する傾斜逃げ面２２が形成されている。なお、縦リブ歯２０の山部は、横リブ歯１７の谷部１７ｂよりも凹んだ位置に形成されている。
【００３１】
上記のように、縦リブ歯２０を凹弧状に形成し、その前部を歯台１５の前端２１に臨ませるようにすると、あご部４を開いて一対の縦挟み歯１２でビス頭を挟持する際に、ビス頭の円弧周面を縦リブ歯２０で確実に捕捉し挟持することができる。従って、ビス頭に設けた十字状の操作溝が潰れ、あるいはねじ山が錆付いたビスを取外す際に、縦リブ歯２０をビス頭の円弧周面に圧接ないし食込ませて、ビスを緩み方向へ確実に回転操作できる。とくに、ビス頭の円弧周面のビス締結面からの高さが小さいトラスねじや、丸子ねじを除去する場合であっても、歯台１５の前端２１をビス締結面に密着させることにより、縦リブ歯２０の前部をビス頭の円弧周面に食込ませて、小さいトラスねじや、丸子ねじを確実に除去できる。
【００３２】
後挟み歯１３は、工具中心軸８と直交する左右に長い複数（４個）の後リブ歯２５で構成してあり、第１アーム１と第２アーム２を限界位置まで握込み操作した状態において（閉姿勢において）、両アーム１・２の各後リブ歯２５は、工具中心軸８を通る水平面と平行になる状態で、小さな隙間を間にして上下に対向している。
【００３３】
図１および図３に示すように、両あご部４・４の最後端に位置する横リブ歯１７よりも前方寄りを前方領域２３と規定したとき、両アーム１・２をストッパー１８による握り込み限界まで握込み操作した閉姿勢において、両あご部４・４の前方領域２３・２３どうしは、非接触の正対姿勢を取るように構成されている。より詳しくは、ペンチを閉姿勢としたとき、一方のあご部４の横リブ歯１７の山部１７ａが、他方のあご部４の横リブ歯１７の谷部１７ｂ内に、小さな隙間を間にして上下に対向する状態で入り込むとともに、これら横挟み歯１１、および上述の縦挟み歯１２を含む両あご部４・４の前方領域２３・２３どうしは、互いに非接触の正対姿勢を取るように構成されている。
【００３４】
次に、ペンチの横挟み歯１１を使った掴み機能について、図６および図７を参照して説明する。横挟み歯１１で、例えば薄肉のシート体１００を挟持する場合において、図６に示すように、一対の横挟み歯１１でシート体１００の端部の上下面を挟持すると、歯台１５の後側の横リブ歯１７がシート体１００に接触して、シート体１００が半ピッチずれた位置にある上下の横リブ歯１７の山部１７ａで受止められる。この状態から握り柄５をさらに握込むと、図７に示すように上下の横リブ歯１７の山部１７ａが対応する横リブ歯１７の谷部１７ｂへ入り込み、シート体１００を連続する山谷状に塑性変形させることができる。以上のように、このペンチによれば、上下一対の横挟み歯１１でシート体１００を強固に挟持することができるので、良好な掴み機能が発揮される。また、シート体１００を強固に挟持した状態のままで、シート体１００を引張り操作して、シート体１００の全体を装着部分から引きずり出し、あるいは挟持部分を折り曲げるなどの２次作業を的確に行うことができる。ペンチの掴み対象としては、金属製のシート体以外に、プラスチックシート、金属線材、コード、皮革シート、ゴムシート、プラスチック片、布帛などを挙げることができる。
【００３５】
加えて、上述のように、本実施例に係るペンチでは、両アーム１・２をストッパー１８による握り込み限界まで握込み操作した閉姿勢において、両あご部４・４の前方領域２３・２３どうしが、非接触の正対姿勢となるように構成されている。このように、閉姿勢において、両あご部４・４の前方領域２３・２３どうしが、非接触の正対姿勢となるように構成されていると、前方領域２３・２３に位置する一部の横リブ歯１７・１７だけが、掴み操作時の作用点となる不都合を抑えて、より安定的な掴み機能が発揮される。つまり、例えば、閉姿勢において両あご部４・４の前方領域２３・２３に位置する一部の横リブ歯１７・１７が接触するような構成を採った場合には、当該接触する横リブ歯１７・１７だけが掴み操作時の作用点となりやすく、複数のポイント（横リブ歯１７の山部１７ａ）で挟持対象を挟持することができず、安定的な掴み機能が発揮されないおそれがある。これに対して、本実施例のように、閉姿勢において、両あご部４・４の前方領域２３・２３が非接触となるように構成してあると、掴み操作時の作用点に偏りが生じることを効果的に抑えることができるので、複数のポイントで挟持対象を挟持して、より安定的に掴み機能が発揮される。
【００３６】
次に、本実施例に係るペンチの切断機能について、図２および図３を参照して説明する。上記のように、本実施例に係るペンチにおいては、切断刃１０・１０をストッパー１８として、両アーム１・２の握り込み限界が規定されるようになっている。しかも、握り込み限界となる閉姿勢となったときにも横挟み歯１１、および縦挟み歯１２を含む両あご部４・４の前方領域２３・２３は非接触となるようになっている。以上のように、本実施例に係るペンチにおいては、前方領域２３に横挟み歯１１等を設けたにも拘らず、切断刃１０・１０が先当りして、握り込み限界が規定されるようにしたので、確実に切断刃１０・１０に由来する切断機能を得ることができる。より詳しくは、本実施例に係るペンチでは、閉姿勢の状態も含めて、両あご部４・４の前方領域２３・２３どうしは、常に非接触となるようにして、握り込み操作時に常に切断刃１０・１０が先当りするようにしたので、前方領域２３・２３に設けられた横挟み歯１１、および縦挟み歯１２などの存在によって、切断刃１０・１０に由来する切断機能が阻害されることは無く、確実に切断刃１０・１０に由来する切断機能を得ることができる。
【００３７】
ペンチの横リブ歯１７は、図９から図１４に示すように変更して実施することができる。なお、以下の説明においては、実施例１と同じ部材には、同じ符号を付してその説明を省略する。図９においては、横リブ歯１７の山部１７ａの先端を丸められていない出隅で形成し、谷部１７ｂの底端を丸められていない入隅で形成する点が、実施例１と異なる。
【００３８】
図１０においては、横リブ歯１７の山部１７ａと、谷部１７ｂの底端の丸みの半径を大きくして、山部１７ａと谷部１７ｂが波形に連続する点が、実施例１と異なる。このように、横挟み歯１１を連続波形に形成すると、シート体１００を横挟み歯１１で挟持した状態において、シート体１００を確りと挟持しながら、緩やかに変形させることができるので、シート体１００を傷付けたくない場合に適している。
【００３９】
図１１においては、横挟み歯１１を歯ピッチＰ１・Ｐ２が大小に異なる２数種の横リブ歯１７で構成し、歯ピッチＰ１が大きな横リブ歯１７を歯台１５の後側に設ける点が、実施例１と異なる。このように、歯ピッチＰ１・Ｐ２が大小に異なる２数種の横リブ歯１７で横挟み歯１１を構成すると、歯ピッチＰ２が小さな横挟み歯１１の前半のみでシート体１００を挟持する使用形態と、横挟み歯１１の全体でシート体１００を挟持する使用形態を使い分けることができる。また、歯ピッチＰ２が大きな横リブ歯１７でシート体１００を挟持することにより、横リブ歯１７とシート体１００の接触面積を大きくして、横リブ歯１７とシート体１００が相対的に滑るのを確実に防止できる。なお、歯ピッチＰ１・Ｐ２が異なる複数種の横リブ歯１７の配置形態は、図１１に図示した形態である必要はなく、必要に応じて自由に変更できる。
【００４０】
図１２においては、横リブ歯１７の歯ピッチＰはすべて同じであるが、その歯丈Ｈを歯台１５の前部から後部にわたって徐々に小さくして横挟み歯１１を構成する点が、実施例１と異なる。このように、歯丈Ｈの異なる複数種の横リブ歯１７で横挟み歯１１を構成すると、図１１の横挟み歯１１と同様に、歯丈Ｈが大きな横挟み歯１１の前半のみでシート体１００を挟持する使用形態と、横挟み歯１１の全体でシート体１００を挟持する使用形態を使い分けることができる。また、歯丈Ｈが大きな横リブ歯１７でシート体１００を挟持することにより、横リブ歯１７とシート体１００の接触面積を大きくして、横リブ歯１７とシート体１００が相対的に滑るのを確実に防止できる。なお、歯丈Ｈが異なる複数種の横リブ歯１７の配置形態は、図１２に図示した形態である必要はなく、必要に応じて自由に変更できる。
【００４１】
図１３においては、側面視が等脚台形状の横リブ歯１７で横挟み歯１１を構成する点が、実施例１と異なる。また図１４においては、側面視が四角形状の横リブ歯１７で横挟み歯１１を構成する点が、実施例１と異なる。横リブ歯１７の側面視形状は必要に応じて自由に選定することができ、上記以外の側面視形状であってもよい。
【００４２】
（実施例２）  図１５ないし図１８は、本発明をペンチに適用した実施例２を示す。この実施例２では、実施例１における縦挟み歯１２を省略して、上下に対向するあご部４の対向面の全面にわたって、横挟み歯１１の横リブ歯１７を形成するようにした。また、実施例１に比べて、切断刃１０の前後長さを大きくして、切断刃１０の前端に連続して横挟み歯１１を形成した。図１８は、実施例２に係るペンチの外観６面図である。実施例２に係るペンチにおいても、横リブ歯１７は、図９から図１４に示すように変更して実施することができる。
【００４３】
（実施例３）  図１９はストッパー１８の構造を変更したペンチの実施例３を示している。そこでは、連結ボス部６と握り柄５の隣接部の対向面に切断刃１０を設け、切断刃１０がストッパー１８を兼ねるようにした。このように、切断刃１０を握り柄５の側に設けると、逃げ凹部１４の前後長さが大きくなるので、横挟み歯１１でシート体１００を挟持するとき、シート体１００の端部から充分に離れた位置でも支障なく挟持できる。
【００４４】
図２０はストッパー１８の構造をさらに変更したペンチの変形例を示している。そこでは、第１アーム１と第２アーム２を限界位置まで握込み操作した状態において、グリップ体７の後端同士が接当して、ストッパー１８として機能するようにした。以上のように、ストッパー１８は一対のアーム１・２の間や、一対の連結ボス部６の間に設けてあればよく、切断刃１０がストッパー１８を兼ねる必要はない。
【００４５】
（実施例４）  図２１は本発明をコンビネーションプライヤーに適用した実施例４を示す。コンビネーションプライヤーは、ペンチと同様に第１アーム１および第２アーム２を連結軸３でＸ字状に組んで構成するが、各アーム１・２のあご基部２９に眼鏡穴状の２個の連結穴３０・３１を形成して、連結軸３をどちらの連結穴３０・３１に係合するかで、あご部４の開き角度を大小に異ならせることができる。また、あご部４の対向面の前部に横挟み歯１１を形成し、さらに、横挟み歯１１の後に連続して凹弧挟み歯３２を形成して、挟持寸法が大きな挟持対象であっても凹弧挟み歯３２で確実に挟持できるようにしてある。
【００４６】
凹弧挟み歯３２と連結軸３との間のアーム１・２の対向面には、アーム１・２を握り込み限界まで握り込んだ際に、先当りして握り込み限界を規制するストッパー１８・１８が形成されている。そして、一方の連結穴３０に連結軸３を係合した状態において、ストッパー１８・１８が先当りする握り込み限界まで握り込み操作した閉姿勢において、両あご部４・４の前方領域２３・２３どうしは、非接触の正対姿勢となるように構成されている。
【００４７】
（実施例５）  図２２は本発明をペンチに適用した実施例５を示す。そこでは、第１アーム１と第２アーム２のあご部４を非対称形状に形成して、切断刃１０の切断中心および横挟み歯１１の挟持中心８０が、工具中心軸８の上側（または下側）に位置ずれし、先の挟持中心８０と工具中心軸８が平行になるようにした。それ以外の点は、先の実施例１と同様であるので、同一の部材には同一の符号を付して、説明を省略する。
【００４８】
（実施例６）  図２３は本発明をペンチに適用した実施例６を示す。そこでは、実施例５と同様に、第１アーム１と第２アーム２のあご部４を非対称形状に形成するが、切断刃１０の切断中心および横挟み歯１１の挟持中心８０を工具中心軸８に対して、角度αだけ傾斜させ、さらに、切断刃１０の切断中心および横挟み歯１１の挟持中心８０が連結軸３の中心を通るようにした。それ以外の点は、先の実施例１と同様であるので、同一の部材には同一の符号を付して、説明を省略する。実施例５および実施例６から理解できるように、切断刃１０の切断中心および横挟み歯１１の挟持中心８０は、工具中心軸８上に設ける必要はない。
【００４９】
（実施例７）  図２４〜図２７は本発明をラジオペンチに適用した実施例７を示す。そこでは、実施例１と同様に第１アーム１と第２アーム２を上下対称に形成し、くさび状に形成したあご部４の対向面の先端から半分を超える領域に横挟み歯１１を形成した。図２７は、実施例７に係るラジオペンチの外観６面図である。なお、横挟み歯１１の形成領域は適宜変更することができる。
【００５０】
実施例７においては、あご部４の左右幅が小さいため、一対の横リブ歯１７の噛合い長さを大きくすることができない。そこで、図２８に示すように、横リブ歯１７を工具中心軸８に対して斜めに交差させることにより、一対の横リブ歯１７の噛合い長さを大きくすることができる。なお、実施例３から実施例７における挟持工具の横リブ歯１７は、図９から図１４に示すように変更して実施することができる。
【００５１】
第１アーム１の横リブ歯１７と第２アーム２の横リブ歯１７の前後方向のピッチのずれ量は、歯ピッチＰの半ピッチである必要はなく、歯ピッチＰの範囲内で任意量に設定することができる。要は、第１アーム１と第２アーム２を限界位置まで握込んだ状態において、一方の横リブ歯１７の山部１７ａが他方の横リブ歯１７の谷部１７ｂに入込む構造であればよい。第１アーム１と第２アーム２を限界位置まで握込んだ状態において、上下の歯台１５の前端２１は、前突湾曲状に形成してあってもよい。
【００５２】
図５においては、左右の横リブ歯１７を前後平行に形成したがその必要はなく、左右の横リブ歯１７を工具中心軸８に対して逆向きに傾斜させて、左右の横リブ歯１７をハ字状あるいは逆ハ字状に形成することができる。また、あご部４の対向面の左右いずれか一方に限って横挟み歯１１を形成し、残る対向面に縦挟み歯１２を形成することができる。
【符号の説明】
【００５３】
１  第１アーム
２  第２アーム
３  連結軸
４  あご部
６  連結ボス部
８  工具中心軸
１０  切断刃
１１  横挟み歯
１２  縦挟み歯
１５  歯台
１７  横リブ歯
１８  ストッパー
２０  縦リブ歯
２３  前方領域
Ｐ  歯ピッチ
【要約】
【課題】挟持対象を連続する山谷状の挟み歯で確実に挟持でき、さらに、一対の挟み歯の間に挟持した挟持対象の２次作業を的確に行える挟持工具を提供する。
【解決手段】前端にあご部４を有し後端側に握り柄５を有する第１アーム１と第２アーム２は、両アーム１・２のあご部４寄りに設けた連結ボス部６と連結軸３でＸ字状に連結する。一対のあご部４の対向面の前部に横挟み歯１１を形成する。横挟み歯１１は、工具中心軸８と交差する向きに延びる、山谷状に連続する複数の横リブ歯１７で構成する。一方のあご部４に設けた横リブ歯１７と、他方のあご部４に設けた横リブ歯１７を前後にずらして、第１アーム１と第２アーム２を限界位置まで握込み操作した状態において、一方のあご部４の横リブ歯１７の山部１７ａが、他方のあご部４の横リブ歯１７の谷部１７ｂ内に入り込むようにする。
【選択図】図１【図１】
0005726365.tif 000002
【図２】
0005726365.tif 000003
【図３】
0005726365.tif 000004
【図４】
0005726365.tif 000005
【図５】
0005726365.tif 000006
【図６】
0005726365.tif 000007
【図７】
0005726365.tif 000008
【図８】
0005726365.tif 000009
【図９】
0005726365.tif 000010
【図１０】
0005726365.tif 000011
【図１１】
0005726365.tif 000012
【図１２】
0005726365.tif 000013
【図１３】
0005726365.tif 000014
【図１４】
0005726365.tif 000015
【図１５】
0005726365.tif 000016
【図１６】
0005726365.tif 000017
【図１７】
0005726365.tif 000018
【図１８】
0005726365.tif 000019
【図１９】
0005726365.tif 000020
【図２０】
0005726365.tif 000021
【図２１】
0005726365.tif 000022
【図２２】
0005726365.tif 000023
【図２３】
0005726365.tif 000024
【図２４】
0005726365.tif 000025
【図２５】
0005726365.tif 000026
【図２６】
0005726365.tif 000027
【図２７】
0005726365.tif 000028
【図２８】
0005726365.tif 000029